(57)【要約】【課題】ベゼルによって表示パネルを好適に保持しながら、狭額縁化を図ること。【解決手段】液晶表示装置１０は、底板２２ａを有するシャーシ２２を備えるバックライト装置１２と、液晶パネル１１と、液晶パネル１１の表示面１１ｃに沿った枠状板面を有するとともに液晶パネル１１の表示面１１ｃ側の端縁を押さえることで液晶パネル１１を保持する枠状部１４ａと、シャーシ２２の一部を挟んで液晶パネル１１側とは反対側に設けられるとともに、シャーシ２２の受け板２２ｃと液晶パネル１１の端縁との両者と平面視において重畳するものとされた重畳部１４ｃ２と、を少なくとも有し、液晶表示装置１０の表側の外観を構成する枠状のベゼル１３と、重畳部１４ｃ２を挟んで液晶パネル１１側とは反対側から少なくとも重畳部１４ｃ２とシャーシ２２の一部とに挿通されることでベゼル１４をシャーシ２２に対して取り付ける取付ネジＳＭと、を備える。【選択図】図４
2014074756.tif 000002
【特許請求の範囲】
【請求項１】
少なくとも底板を有するとともに当該表示装置の一方の外観を構成するシャーシを少なくとも備える照明装置と、
前記照明装置からの光を利用して表示を行う表示パネルと、
前記表示パネルの表示面に沿った枠状板面を有するとともに該表示パネルの表示面側の端縁を押さえることで該表示パネルを保持する枠状部と、前記シャーシの一部を挟んで前記表示パネル側とは反対側に設けられるとともに、該シャーシの一部と前記表示パネルの端縁との両者と平面視において重畳するものとされた重畳部と、を少なくとも有し、当該表示装置の他方の外観を構成する枠状のベゼルと、
前記重畳部を挟んで前記表示パネル側とは反対側から少なくとも該重畳部と前記シャーシの一部とに挿通されることで前記ベゼルを前記シャーシに対して取り付ける取付部材と、
を備える表示装置。
【請求項２】
前記ベゼルは、前記枠状部の四辺の外端からそれぞれ前記底板側に筒状に延びる筒状部と、該筒状部の前記表示パネル側とは反対側の先端の少なくとも一辺から折り返されて前記表示パネルの中心側へと延びるとともに、少なくとも一部が前記重畳部とされた折り返し部と、を有する、請求項１に記載の表示装置。
【請求項３】
枠状をなす前記ベゼルの四辺の各々を構成する構成部材のうち、少なくとも前記折り返し部を有する構成部材が他の構成部材から分割可能とされている、請求項２に記載の表示装置。
【請求項４】
可撓性を有し、その一端側が前記表示パネルに接続されたフレキシブル基板と、
前記フレキシブル基板の他端側に接続され、前記フレキシブル基板に信号を伝送する信号伝送基板と、をさらに備え、
枠状をなす前記ベゼルの四辺の各々を構成する構成部材のうち、少なくとも前記伝送基板が配された構成部材に前記折り返し部が設けられている、請求項２または請求項３に記載の表示装置。
【請求項５】
前記フレキシブル基板に実装され、前記信号伝送基板からの前記信号を処理して前記表示パネルに供給することで前記表示パネルを駆動する駆動部品をさらに備え、
前記ベゼルは、前記筒状部と前記折り返し部との間に設けられるとともに、前記筒状部よりも前記表示パネルの端縁側に折り返されることで前記信号伝送基板の前記駆動部品が実装された部位と接触するものとされた接触部をさらに有する、請求項４に記載の表示装置。
【請求項６】
前記ベゼルにおける前記接触部の厚みが該ベゼルにおける他の部位の厚みよりも小さいものとされている、請求項５に記載の表示装置。
【請求項７】
前記ベゼルは、前記折り返し部の先端から前記表示パネル側に向かって突出するとともに前記シャーシの一部に係止される係止部をさらに有する、請求項２から請求項６のいずれか１項に記載の表示装置。
【請求項８】
前記シャーシにおける前記係止部と平面視において重畳する部位に前記折り返し部側に向かって開口する凹部が設けられ、前記係止部の先端が該凹部に嵌合されている、請求項７に記載の表示装置。
【請求項９】
前記シャーシは、前記折り返し部側に向かって突出するとともに前記係止部の前記表示パネルの中心側とは反対側の面と当接する当接部を有する、請求項７に記載の表示装置。
【請求項１０】
枠状をなし、前記表示パネルの端縁を前記表示面側とは反対側から支持するフレームであって、その一部が前記重畳部と重畳するフレーム側重畳部を有し、該フレーム側重畳部に前記取付部材が挿通されることで前記ベゼルと共に前記シャーシに対して取り付けられたフレームをさらに備える、請求項１から請求項９のいずれか１項に記載の表示装置。
【請求項１１】
前記照明装置は、その発光面が前記表示パネル側に向けられた形で前記底板上に配された複数の光源を備え、
前記シャーシは、前記底板の端縁から前記表示パネル側に板状に立ち上がる側板と、該側板の先端から前記表示パネルの前記表示面に沿って該表示パネルの中心位置から離れる側に向かって板状に延びるとともに前記取付部材が挿通される受け板と、を有する、請求項１から請求項１０のいずれか１項に記載の表示装置。
【請求項１２】
前記照明装置は、一方の板面に設けられた光出射面と、少なくとも一つの端面に設けられた光入射面と、を有し、前記光出射面が前記表示パネル側に向けられた形で配された導光板と、その発光面が前記光入射面側に向けられた形で配された複数の光源と、を備え、
前記シャーシの前記底板は、平面視において前記光源と重畳する部位に前記表示パネル側とは反対側に向かって窪んでなる窪み部を有する、請求項１から請求項１０のいずれか１項に記載の表示装置。
【請求項１３】
前記表示パネルが一対の基板間に液晶を封入してなる液晶パネルである、請求項１から請求項１２のいずれか１項に記載の表示装置。
【請求項１４】
請求項１から請求項１３のいずれか１項に記載の表示装置を備える、テレビ受信装置。
【発明の詳細な説明】
【技術分野】
【０００１】
本発明は、表示装置、及びテレビ受信装置に関する。
【背景技術】
【０００２】
例えば、液晶テレビなどの液晶表示装置に用いられる液晶パネルは、当該液晶表示装置の表示面側の外観を構成する枠状のベゼルなどによってその外端が保持される。この種のベゼルにおいて、近年、ベゼルの幅を狭めることで画像の表示領域の大きさを確保しながら液晶表示装置の小型化を図る、いわゆる狭額縁化が求められている。このようなベゼルの狭額縁化を図ることが可能な画像表示装置が、例えば特許文献１に開示されている。
【先行技術文献】
【特許文献】
【０００３】
【特許文献１】特開２０１１−２３７６４７号公報
【発明の概要】
【発明が解決しようとする課題】
【０００４】
上記のようなベゼルは、液晶パネルを保持した状態で、ビス等の取付部材によってシャーシ等の筐体に対して取り付けられる。このとき取付部材は、通常、ベゼルを挟んで液晶パネルの側方側から筺体に挿通されるか、あるいは、液晶パネルの端縁よりも外側において、ベゼルを挟んで液晶パネルの表示面側から筺体に挿通されることで取り付けられる。しかしながら、このような構成では、液晶パネルの端縁よりも外側に取付部材が挿通されるためのスペースを確保する必要があるため、液晶表示装置の狭額縁化を達成することが難しい。一方、ベゼルの幅を狭めるために取付部材が挿通されるためのスペースを狭め、これに伴って取付部材の大きさを縮小すると、取付部材がベゼル等から外れ易くなってしまい、ベゼルによって液晶パネルを保持することが困難となる。
【０００５】
本明細書で開示される技術は、上記の課題に鑑みて創作されたものである。本明細書では、ベゼルによって表示パネルを好適に保持しながら、表示装置の狭額縁化を図ることが可能な技術を提供することを目的とする。
【課題を解決するための手段】
【０００６】
本明細書で開示される技術は、少なくとも底板を有するとともに当該表示装置の一方の外観を構成するシャーシを少なくとも備える照明装置と、前記照明装置からの光を利用して表示を行う表示パネルと、前記表示パネルの表示面に沿った枠状板面を有するとともに該表示パネルの表示面側の端縁を押さえることで該表示パネルを保持する枠状部と、前記シャーシの一部を挟んで前記表示パネル側とは反対側に設けられるとともに、該シャーシの一部と前記表示パネルの端縁との両者と平面視において重畳するものとされた重畳部と、を少なくとも有し、当該表示装置の他方の外観を構成する枠状のベゼルと、前記重畳部を挟んで前記表示パネル側とは反対側から少なくとも該重畳部と前記シャーシの一部とに挿通されることで前記ベゼルを前記シャーシに対して取り付ける取付部材と、を備える表示装置に関する。
【０００７】
上記の表示装置では、ベゼルとシャーシがそれぞれ当該表示装置の表裏の外観を構成し、表示パネルがその表示面側からベゼルによって好適に保持される。ここで、表示パネルの表示面側にはベゼルの枠状部のみ配されているので、取付部材が枠状部に対して重畳部側とは反対側から挿通される場合、表示パネルの端縁よりも外側に取付部材が挿通されるためのスペースを確保する必要がある。また、取付部材が表示パネルの側方側（表示パネルの端面よりも外側）から挿通される場合であっても、表示パネルの端縁よりも外側に取付部材が挿通されるためのスペースを確保する必要がある。この点、上記の表示装置では、重畳部が表示パネルの端縁とシャーシの一部との両者と平面視において重畳しており、取付部材が重畳部を挟んで表示パネル側とは反対側から当該重畳部及びシャーシの一部に対して挿通されるため、表示パネルの端縁よりも外側に取付部材が挿通されるためのスペースを確保しなくとも、取付部材によってベゼルをシャーシに対して取り付けることができる。この結果、上記の表示装置では、ベゼルによって表示パネルを好適に保持しながら、ベゼルの枠状部の幅を狭めることができ、表示装置の狭額縁化を図ることができる。
【０００８】
前記ベゼルは、前記枠状部の四辺の外端からそれぞれ前記底板側に筒状に延びる筒状部と、該筒状部の前記表示パネル側とは反対側の先端の少なくとも一辺から折り返されて前記表示パネルの中心側へと延びるとともに、少なくとも一部が前記重畳部とされた折り返し部と、を有してもよい。
この構成によると、ベゼルの少なくとも一部を、枠状部と筒状部と折り返し部とによって構成された断面視略Ｕ字状とすることができる。これにより、重畳部が設けられたベゼルの具体的な構成を実現することができる。
【０００９】
枠状をなす前記ベゼルの四辺の各々を構成する構成部材のうち、少なくとも前記折り返し部を有する構成部材が他の構成部材から分割可能とされていてもよい。
枠状をなすベゼルが全体として一対成形されて分割不能となっている場合、ベゼルの少なくとも一部が断面視略Ｕ字状とされていると、ベゼルを表示パネルの表示面側から表示パネル及び他の部材に対して組み付けようとしても、ベゼルの折り曲げ部が表示パネルと干渉するため、ベゼルを組み付けることが困難となる。上記の構成によれば、ベゼルの四辺の各々を構成する構成部材のうち折り返し部を有する構成部材のみを予め表示パネルの側方側から表示パネルに対して組み付け、その後にその他のベゼルの構成部材を表示パネルの側方側又は表示面側から組み付け、その後に折り返し部を有する構成部材とその他の構成部材との間を結合部材等によって結合させることで、ベゼルを容易に組み付けることができる。
【００１０】
可撓性を有し、その一端側が前記表示パネルに接続されたフレキシブル基板と、前記フレキシブル基板の他端側に接続され、前記フレキシブル基板に信号を伝送する信号伝送基板と、をさらに備え、枠状をなす前記ベゼルの四辺の各々を構成する構成部材のうち、少なくとも前記伝送基板が配された構成部材に前記折り返し部が設けられていてもよい。
枠状をなすベゼルのうち信号伝送基板が配される側は、信号伝送基板を収容するためのスペースを確保する必要があるため、狭額縁を達成し難い。この点、上記の構成のように信号伝送基板が配される側に折り返し部が設けられていれば、折り返し部とシャーシの一部との間、即ちベゼルの裏側に信号伝送基板を配置することができるので、狭額縁を達成する上で妨げとなり難い。このため、表示装置の狭額縁化を効果的に図ることができる。
【００１１】
前記フレキシブル基板に実装され、前記信号伝送基板からの前記信号を処理して前記表示パネルに供給することで前記表示パネルを駆動する駆動部品をさらに備え、前記ベゼルは、前記筒状部と前記折り返し部との間に設けられるとともに、前記筒状部よりも前記表示パネルの端縁側に折り返されることで前記信号伝送基板の前記駆動部品が実装された部位と接触するものとされた接触部をさらに有してもよい。
フレキシブル基板において表示パネルを駆動する駆動部品が実装された部位は熱が発生し易いため、当該部位を効果的に放熱させる必要がある。上記の構成では、ベゼルの筒状部と折り返し部との間に当該部位と接触する接触部を設けることで、当該部位から発せられた熱を、接触部を介して表示装置の外部へと効果的に放熱させる構成を実現しながら、表示装置の狭額縁化を図ることができる。
【００１２】
前記ベゼルにおける前記接触部の厚みが該ベゼルにおける他の部位の厚みよりも小さいものとされていてもよい。
ベゼルの厚みが小さいほど、ベゼルの一方側から他方側へと熱が伝わり易いものとなる。上記の構成では、接触部の厚みがベゼルにおける他の部位の厚みよりも小さいものとされているので、フレキシブル基板上の駆動部品が実装された部位から発せられた熱を、接触部を介して表示装置の外部へと一層効果的に放熱させることができる。
【００１３】
前記ベゼルは、前記折り返し部の先端から前記表示パネル側に向かって突出するとともに前記シャーシの一部に係止される係止部をさらに有してもよい。
上記の構成によると、ベゼルが、取付部材によってシャーシに対して取り付けられるのに加えて、係止部においてもシャーシに係止されることとなるので、ベゼルをシャーシに対してより確実に保持させることができる。
【００１４】
前記シャーシにおける前記係止部と平面視において重畳する部位に前記折り返し部側に向かって開口する凹部が設けられ、前記係止部の先端が該凹部に嵌合されていてもよい。または、前記シャーシは、前記折り返し部側に向かって突出するとともに前記係止部の前記表示パネルの中心側とは反対側の面と当接する当接部を有してもよい。
これにより、係止部がシャーシに係止されるための具体的な構成を実現することができる。
【００１５】
枠状をなし、前記表示パネルの端縁を前記表示面側とは反対側から支持するフレームであって、その一部が前記重畳部と重畳するフレーム側重畳部を有し、該フレーム側重畳部に前記取付部材が挿通されることで前記ベゼルと共に前記シャーシに対して取り付けられたフレームをさらに備えてもよい。
この構成によると、フレームによって表示パネルの端縁を表示面側とは反対側から支持する構成を実現しながら、ベゼルをシャーシに対して取り付ける取付部材を、フレームをシャーシに取り付けるための部材として兼用することができる。
【００１６】
前記照明装置は、その発光面が前記表示パネル側に向けられた形で前記底板上に配された複数の光源を備え、前記シャーシは、前記底板の端縁から前記表示パネル側に板状に立ち上がる側板と、該側板の先端から前記表示パネルの前記表示面に沿って該表示パネルの中心位置から離れる側に向かって板状に延びるとともに前記取付部材が挿通される受け板と、を有してもよい。
この構成によると、いわゆる直下型の照明装置を備えた表示装置が実現される。この表示装置において、シャーシの受け板は側方に突出した形となり、当該受け板に取付部材が挿通されるので、ベゼルの重畳部をシャーシの底板側まで延在させなくとも取付部材をシャーシの一部に取り付けることができる。このため、直下型の照明装置を備える構成を実現しながら、ベゼルの厚みを小さくすることができ、これにより、表示装置の小型化を図ることができる。
【００１７】
前記照明装置は、一方の板面に設けられた光出射面と、少なくとも一つの端面に設けられた光入射面と、を有し、前記光出射面が前記表示パネル側に向けられた形で配された導光板と、その発光面が前記光入射面側に向けられた形で配された複数の光源と、を備え、前記シャーシの前記底板は、平面視において前記光源と重畳する部位に前記表示パネル側とは反対側に向かって窪んでなる窪み部を有してもよい。
この構成によると、いわゆるエッジライト型の照明装置を備えた表示装置が実現される。この表示装置において、仮に底板が平板状とすると、底板のうち平面視において光源と重畳する部位に取付部材を挿通させる場合に、取付部材が光源と干渉するため、光源よりも外側に取付部材を挿通させるためのスペースを設ける必要があり、狭額縁を達成することができない。この点、上記の構成では、平面視において光源と重畳する部位に窪み部が設けられていることで、当該窪み部に取付部材を挿通させた場合であっても取付部材が光源と干渉せず、平面視において光源と重畳するシャーシの部位に取付部材を取り付けることができる。このため、エッジライト型の照明装置を備える構成を実現しながら、表示装置の狭額縁化を図ることができる。
【００１８】
本明細書で開示される技術では、上記表示パネルを、一対の基板間に液晶を封入してなる液晶パネルとすることもできる。このような表示装置は液晶表示装置として、種々の用途、例えばテレビ受信装置やパソコンのディスプレイ等に適用でき、特に大型画面用として好適である。
【発明の効果】
【００１９】
本明細書で開示される技術によれば、ベゼルによって表示パネルを好適に保持しながら、表示装置の狭額縁化を図ることができる。
【図面の簡単な説明】
【００２０】
【図１】実施形態１に係るテレビ受信装置ＴＶの概略構成を示す分解斜視図
【図２】液晶表示装置１０の概略構成を示す分解斜視図
【図３】液晶表示装置１０の短辺方向に沿った断面構成を示す断面図
【図４】図３においてベゼル１３の近傍を拡大した拡大断面図
【図５】ベゼル１３の一部を拡大した拡大斜視図
【図６】フレームに対するベゼルの組み付け態様を示す斜視図
【図７】実施形態１の変形例１において、フレームに対するベゼルの組み付け態様を示す斜視図
【図８】実施形態１の変形例２において、ベゼル１３の近傍を拡大した拡大断面図
【図９】実施形態２において、ベゼル１１３の近傍を拡大した拡大断面図
【図１０】ベゼル１１３における他の断面の近傍を拡大した拡大斜視図
【図１１】実施形態２の変形例において、ベゼル１１３の近傍を拡大した拡大断面図
【図１２】実施形態３に係る液晶表示装置２１０の概略構成を示す分解斜視図
【図１３】液晶表示装置２１０の短辺方向に沿った断面構成を示す断面図
【図１４】図１３においてベゼル２１３の近傍を拡大した拡大断面図
【発明を実施するための形態】
【００２１】
＜実施形態１＞
図面を参照して実施形態１を説明する。本実施形態では、液晶表示装置（表示装置の一例）１０について例示する。なお、各図面の一部にはＸ軸、Ｙ軸およびＺ軸を示しており、各軸方向が各図面で共通した方向となるように描かれている。このうちＹ軸方向は、鉛直方向と一致し、Ｘ軸方向は、水平方向と一致している。また、特に断りがない限りは、上下の記載については鉛直方向を基準とし、図２ないし図４においては、上側を表側とし、同図下側を裏側とする。
【００２２】
テレビ受信装置ＴＶは、液晶表示装置１０と、当該液晶表示装置１０を挟むようにして収容する表裏両キャビネットＣａ、Ｃｂと、電力供給のための電源回路基板Ｐと、テレビ画像信号を受信可能なチューナーＴと、スタンドＳと、を備えている。液晶表示装置１０は、全体として横長の方形を成しており、表示パネルである液晶パネル１１と、外部光源であるバックライト装置（照明装置の一例）１２とを備え、これらが枠状を成すベゼル１４などにより一体的に保持されるようになっている。液晶表示装置１０において液晶パネル１１は、画像を表示可能な表示面１１ｃが表側を向いた姿勢で組み付けられる。
【００２３】
液晶パネル１１は、図２及び図３に示すように、平面に視て横長の方形（矩形状、長手状）をなしており、透光性に優れた一対のガラス製の基板１１ａ，１１ｂ（図４参照）が所定のギャップを隔てた状態で貼り合わせられるとともに、両基板１１ａ，１１ｂ間に液晶が封入された構成とされる。一対の基板１１ａ，１１ｂのうち表側がＣＦ基板１１ａとされ、裏側がアレイ基板１１ｂとされる。このうち、アレイ基板１１ｂには、互いに直交するソース配線とゲート配線とに接続されたスイッチング素子（例えばＴＦＴ）と、そのスイッチング素子に接続された画素電極、さらには配向膜等が設けられている。ＣＦ基板１１ａには、Ｒ（赤色），Ｇ（緑色），Ｂ（青色）等の各着色部が所定配列で配置されたカラーフィルタや対向電極、さらには配向膜等が設けられている。この液晶パネル１１は、その表示面１１ｃにおける画面中央側にあって画像が表示可能な表示領域と、画面外周端側にあって表示領域の周りを取り囲む枠状（額縁状）をなす非表示領域とに区分されている。なお、両基板１１ａ，１１ｂの外側には偏光板（図示せず）が配されている。
【００２４】
液晶パネル１１を構成する一対の基板１１ａ，１１ｂのうち、アレイ基板１１ｂは、図２及び図３に示すように、その外周端部が全周にわたってＣＦ基板１１ａの外周端部よりも外側に突出するよう、ＣＦ基板１１ａよりも一回り大きく形成されている（以下、ＣＦ基板１１ａの外周端部を液晶パネル１１の端縁１１ｅと称する）。アレイ基板１１ｂの外周端部を構成する一対の長辺側端部のうち、一方（図２に示す手前側）の長辺側端部には、上記したソース配線から引き回されたソース側端子部が複数設けられており、各ソース側端子部には、可撓性（柔軟性）を有するソース側フレキシブル基板２３の一端が接続されている。ソース側フレキシブル基板２３は、Ｘ軸方向、つまりアレイ基板１１ｂの長辺側端部に沿う方向について複数（図２では１０個）がほぼ等間隔となるよう間欠的に並んで配されており、アレイ基板１１ｂの長辺側端部からＹ軸方向に沿って外側に突出している。ソース側フレキシブル基板（フレキシブル基板の一例）２３の他端には、図2に示すように、プリント基板（信号伝送基板の一例）２５が接続されている。プリント基板２５は、ＦＰＣ（Flexible Printed Circuits、図示せず）を介してバックライト装置１２の裏側（液晶パネル１１側とは反対側）に取り付けられたコントロール基板２６に接続されており、コントロール基板２６から入力される信号（ゲート配線への走査信号、ソース配線へのデータ信号、容量配線への容量信号など）を、ソース側フレキシブル基板２３に伝送することが可能とされている。これにより、液晶パネル１１は、コントロール基板２６から入力される信号に基づいてその表示面１１ｃの表示領域に画像が表示されるようになっている。
【００２５】
ベゼル１４は、ステンレス等の剛性に優れた金属製とされており、液晶表示装置１０の表側の外観を構成している。ベゼル１４は、図２に示すように、全体として横長の枠状をなすとともに、その各辺が分割可能とされた構成となっている。即ち、ベゼル１４は、その両長辺を構成する一対の長辺側分割ベゼル１４Ｌと、その両短辺を構成する短辺側分割ベゼル１４Ｓと、によって構成されている。各分割ベゼル１４Ｌ，１４Ｓは、隣り合う分割ベゼル１４Ｌ，１４Ｓ同士を図示しない結合部材によって結合することが可能となっている。各分割ベゼル１４Ｌ，１４Ｓが結合されることで枠状とされたベゼル１４は、液晶パネル１１の表示面１１ｃに沿った枠状板面を有する枠状部１４ａを備えている。この枠状部１４ａは、液晶パネル１１の表示面１１ｃの端縁に沿って延在しており、当該端縁を表側から押さえることで液晶パネル１１を保持している。なお、ベゼル１４の構成については、後で詳しく説明する。
【００２６】
続いて、バックライト装置１２の構成について説明する。バックライト装置１２は、図２に示すように、光出射面側（液晶パネル１１側）に向けて開口する略箱型をなすシャーシ２２と、シャーシ２２の開口する側を覆う形で配される光学部材１８と、シャーシ２２の外縁部に沿って配されるとともに光学部材１８の外端部をシャーシ２２との間で挟んで保持する枠状のフレーム１６とを備える。シャーシ２２内には、光学部材１８（液晶パネル１１）の直下となる位置に対向状に配されるＬＥＤ３２（図４参照）と、ＬＥＤ３２が実装されたＬＥＤ基板３０と、ＬＥＤ基板３０においてＬＥＤ３２に対応した位置に取り付けられる拡散レンズ２７と、シャーシ２２内の光を光学部材１８側に反射させる反射シート２９とが備えられる。このように、本実施形態に係るバックライト装置１２は、いわゆる直下型とされる。以下、バックライト装置１２の各構成物品について詳しく説明する。
【００２７】
シャーシ２２は、例えばアルミニウム板や電気亜鉛めっき鋼板（ＳＥＣＣ）などの金属板からなり、図２及び図３に示すように、液晶パネル１１と同様に横長の方形状（矩形状、長方形状）をなす底板２２ａと、底板２２ａの長辺側の両端縁からそれぞれ表側（光出射側）に向けて立ち上がる側板２２ｂ，２２ｂと、底板２２ａの短辺側の両端縁からそれぞれ表側（光出射側）に向けて立ち上がる側板２２ｂ，２２ｂと、各側板２２ｂの立ち上がり先端から外側に張り出す受け板２２ｃと、からなり、全体としては表側に向けて開口した浅い略箱型をなしている。シャーシ２２は、その長辺方向がＸ軸方向（水平方向）と一致し、短辺方向がＹ軸方向（鉛直方向）と一致している。シャーシ２２における各受け板２２ｃには、表側からフレーム１６及び次述する光学部材１８が載置可能とされる。また、シャーシ２２の底板２２ａは、液晶表示装置１０の裏側の外観を構成するものとされている。
【００２８】
光学部材１８は、図２に示すように、液晶パネル１１及びシャーシ２２と同様に平面に視て横長の方形状をなしている。光学部材１８は、図２ないし図４に示すように、その外縁部が受け板２２ｃに載せられることで、シャーシ２２の開口する側を覆うとともに、液晶パネル１１と拡散レンズ２７（ＬＥＤ基板３０）との間に介在して配される。光学部材１８は、裏側（拡散レンズ２７側、光出射側とは反対側）に配される拡散板１８ａと、表側（液晶パネル１１側、光出射側）に配される光学シート１８ｂとから構成される。拡散板１８ａは、所定の厚みを乳白色の樹脂製で板状をなす基材内に拡散粒子を多数分散して設けた構成とされ、透過する光を拡散させる機能を有する。光学シート１８ｂは、拡散板１８ａと比べると板厚が薄いシート状をなしており、２枚が積層して配されている。具体的な光学シート１８ｂの種類としては、例えば拡散シート、レンズシート、反射型偏光シートなどがあり、これらの中から適宜に選択して使用することが可能である。なお、使用する光学シート１８ｂの枚数や種類は、上記以外にも適宜に変更可能である。
【００２９】
フレーム１６は、図２に示すように、液晶パネル１１及び光学シート１８の外周縁部に沿った枠状をなしている。フレーム１６は、図４に示すように、シャーシ２２の受け板２２ｃによって支持されており、内側（液晶パネル１１の中心側）に突出する内側突出部１６ａと、表側に突出する表側突出部１６ｂと、を有している。内側突出部１６ａと受け板２２ｃとの間には、光学部材１８の端縁が挟持されており、これにより光学部材１８の端縁が保持されている。また、内側突出部１６ａは、その表面１６ａ１において液晶パネル１１の端縁１１ｅを裏側から受けることができ、表側に配される後述するベゼル１４の枠状部１４ａとの間で液晶パネル１１の端縁１１ｅを挟持することで、当該液晶パネル１１を保持している。このように光学部材１８と液晶パネル１１との間に内側突出部１６ａが介在することで、光学部材１８と液晶パネル１１とは離間した構成となっており、これにより、光学部材１８を透過した光を液晶パネル１１に効率よく透過させることができ、光漏れを効果的に防止することができる。一方、表側突出部１６ｂは、その先端面１６ｂ１において後述するベゼル１４の枠状部１４ａを支持している。
【００３０】
ＬＥＤ３２は、図４に示すように、ＬＥＤ基板３０上に実装されるとともにＬＥＤ３２に対する実装面とは反対側の面が発光面となる、いわゆる頂面発光型とされる。ＬＥＤ３２は、発光源として青色光を発するＬＥＤチップ（図示せず）を備えるとともに、青色光により励起して発光する蛍光体として、緑色蛍光体と赤色蛍光体とを備えている。詳しくは、ＬＥＤ３２は、ＬＥＤ基板３０に固着される基板部上に例えばＩｎＧａＮ系の材料からなるＬＥＤチップを樹脂材により封止した構成とされる。基板部に実装されるＬＥＤチップは、主発光波長が青色の波長領域に存するものとされ、色純度に優れた青色光（青色の単色光）を発することが可能とされる。その一方、ＬＥＤチップを封止する樹脂材には、ＬＥＤチップから発せられた青色光により励起されることで緑色光を発する緑色蛍光体と、ＬＥＤチップから発せられた青色光により励起されることで赤色光を発する赤色蛍光体とが所定の割合でもって分散配合されている。これらＬＥＤチップから発せられる青色光（青色成分の光）と、緑色蛍光体から発せられる緑色光（緑色成分の光）と、赤色蛍光体から発せられる赤色光（赤色成分の光）とにより、ＬＥＤ３２は、全体として所定の色、例えば白色や青色味を帯びた白色などの光を発することが可能とされる。なお、緑色蛍光体からの緑色成分の光と、赤色蛍光体からの赤色成分の光との合成により黄色光が得られることから、このＬＥＤ３２は、ＬＥＤチップからの青色成分の光と、黄色成分の光とを併せ持っている、とも言える。このＬＥＤ３２の色度は、例えば緑色蛍光体及び赤色蛍光体における含有量の絶対値や相対値に応じて変化するものとされるため、これら緑色蛍光体及び赤色蛍光体の含有量を適宜調整することでＬＥＤ３２の色度を調整することが可能とされる。
【００３１】
ＬＥＤ基板３０は、平面に視て細長い板状をなす基材を有しており、長辺方向がＸ軸方向と一致し、短辺方向がＹ軸方向と一致する状態でシャーシ２２内において底板２２ａに沿って延在しつつ収容されている。このＬＥＤ基板３０の基材における表側を向いた面（光学部材１８側を向いた面）には、上記したＬＥＤ３２が表面実装されている。ＬＥＤ３２は、その発光面が光学部材１８（液晶パネル１１）と対向状をなすとともに、その光軸がＺ軸方向、つまり液晶パネル１１の表示面と直交する方向と一致している。ＬＥＤ３２は、ＬＥＤ基板３０における長辺方向（Ｘ軸方向）に沿って複数が直線的に並列して配されるとともに、ＬＥＤ基板３０に形成された配線パターン（図示しない）により直列接続されている。各ＬＥＤ３２の配列ピッチは、ほぼ一定となっており、つまり各ＬＥＤ３２は、ほぼ等間隔に配列されていると言える。なお、ＬＥＤ基板３０の基材は、シャーシ２２と同じアルミ系材料などの金属製とされ、その表面に絶縁層を介して銅箔などの金属膜からなる上述した配線パターン（図示せず）が形成され、さらには最外表面には、光の反射性に優れた白色を呈する反射層（図示せず）が形成された構成とされる。この配線パターンによりＬＥＤ基板３０上に並列配置された各ＬＥＤ３２同士が直列に接続されている。なお、ＬＥＤ基板３０の基材に用いる材料としては、セラミックなどの絶縁材料を用いることも可能である。
【００３２】
拡散レンズ２７は、ほぼ透明で（高い透光性を有し）且つ屈折率が空気よりも高い合成樹脂材料（例えばポリカーボネートやアクリルなど）からなる。拡散レンズ２７は、図４に示すように、所定の厚みを有するとともに、平面に視て略円形状に形成されており、ＬＥＤ基板３０に対して各ＬＥＤ３２を表側から個別に覆うよう、つまり平面に視て各ＬＥＤ３２と重畳するようそれぞれ取り付けられている。詳しくは、拡散レンズ２７は、平面に視てＬＥＤ３２とほぼ同心となる位置に配されている。この拡散レンズ２７は、ＬＥＤ３２から発せられた指向性の強い光を拡散させつつ出射させることができる。つまり、ＬＥＤ３２から発せられた光は、拡散レンズ２７を介することにより指向性が緩和されるので、隣り合うＬＥＤ３２間の間隔を広くとってもその間の領域が暗部として視認され難くなる。これにより、ＬＥＤ３２の設置個数を少なくすることが可能となっている。
【００３３】
反射シート２９は、図４に示すように、シャーシ２２の内面のほぼ全域にわたって敷設される大きさを有しており、シャーシ２２内に並列して配された全ＬＥＤ基板３０を表側から一括して覆うことが可能とされる。この反射シート２９によりシャーシ２２内の光を光学部材１８側に向けて効率的に立ち上げることができる。反射シート２９は、シャーシ２２の底板２２ａに沿って延在するとともに当該底板２２ａの大部分を覆う大きさの底部２９ａと、底部２２ａの各外端から表側に立ち上がるとともに底部２９ａに対して傾斜状をなす４つの立ち上がり部２９ｂと、各立ち上がり部２９ｂの外端から外向きに延出するとともにシャーシ２２の受け板２２ｃに載せられる延出部２９ｃとから構成されている。
【００３４】
これらのＬＥＤ基板３０や反射シート２９は、第１保持部材２８及び第２保持部材３１（図２参照）によって保持されている。第１保持部材２８及び第２保持部材３１は、ポリカーボネートなどの合成樹脂製とされており、表面が光の反射性に優れた白色を呈する。第１保持部材２８は、反射シート２９の底部２９ａの表側に配された本体部２８ａと、シャーシ２２に固定される固定部２８ｂとを備える。本体部２８ａは、平面に視てＬＥＤ基板３０の板面に沿った略円形状の板状をなすとともに、シャーシ２２の底板２２ａとの間で少なくともＬＥＤ基板３０を挟持可能とされる。固定部２８ｂは、本体部２８ａから裏側、つまりシャーシ２２側に向けて突出しており、反射シート２９、ＬＥＤ基板３０、及び底板２２ａに設けられた貫通孔をそれぞれ貫通しつつ底板２２ａに対して係止可能とされる。第１保持部材２８は、このような構成によってＬＥＤ基板３０及び反射シート２９を保持している。一方、第２保持部材３１は、図２に示すように、第１保持部材２８と同様の形状及び構成をなす部材から表側に突出するピン状の部位をさらに有した構成とされている。第２保持部材３１は、このような構成によって、光学部材１８（直接的には拡散板１８ａ）を裏側から支持することが可能とされている。
【００３５】
続いて本実施形態の要部である、ベゼル１４の構成及びベゼル１４の取り付け態様について説明する。液晶表示装置１０の表側に配されるとともに枠状をなすベゼル１４は、図４に示すように、上述した枠状部１４ａと、枠状部１４ａの四辺の外端からそれぞれ裏側（シャーシ２２の底板２２ａ側）に筒状に延びる筒状部１４ｂと、筒状部１４ｂの裏側（液晶パネル１１側とは反対側）の先端から折り返されて内側（液晶パネル１１の中心側）へと板状に延びる折り返し部１４ｃと、を有している。筒状部１４ｂは、フレーム１６の外面を覆うとともに、ソース側フレキシブル基板２３が配された側を除いた外面に宛てがわれている。折り返し部１４ｃは、シャーシ２２の受け板２２ｃを挟んで液晶パネル１１側とは反対側に設けられており、その一部がシャーシ２２の受け板２２ｃと液晶パネル１１の端縁１１ｅとの両者と平面視において重畳する重畳部１４ｃ２とされている。枠状部１４ａと折り返し部１４ｃは、その板面が液晶パネル１１の表示面１１ｃ及び受け板２２ｃの板面に沿った形状とされている。筒状部１４ｃは、その板面が枠状部１４ａの板面と折り返し部１４ｃの板面との各々に対して直交する形で板状に延びている。ベゼル１４は、枠状部１４ａと筒状部１４ｂと折り返し部１４ｃとを有することによって、図４に示すように、内側（液晶パネル１１の中心側）に開いた形の断面視略Ｕ字状をなしている。
【００３６】
ベゼル１４は、断面視略Ｕ字状をなすことで、液晶パネル１１の端縁１１ｅと、フレーム１６と、光学部材１８の端縁と、シャーシ２２の受け板２２ｃと、を枠状部１４ａと折り返し部１４ｃとの間に挟み込んだ形で配されている。詳しくは、枠状部１４ａは、その内面が液晶パネル１１の端縁１１ｅとフレーム１６における表側突出部１６ｂの先端面１６ｂ１とに宛がわれており、筒状部１４ｂは、その内面がフレーム１６の外面とシャーシにおける受け板２２ｃの先端とに宛がわれており、折り返し部１４ｃは、その内面がシャーシ２２における受け板２２ｃの裏面に宛がわれている。
【００３７】
続いてベゼル１４の取り付け態様について説明する。ベゼル１４における折り返し部１４ｃ（詳しくは重畳部１４ｃ２）には、図５に示すように、その延在方向に沿って複数のベゼル側挿通孔１４ｃ１が間欠的に設けられている。また、シャーシ２２の受け板２２ｃ及びフレーム１６において、平面に視てベゼル側挿通孔１４ｃ１と重畳する部位には、シャーシ側挿通孔及びフレーム側挿通孔がそれぞれ設けられている（図４参照）。そして、折り返し部１４ｃの裏側（重畳部１４ｃ２を挟んで液晶パネル１１側とは反対側）から、ベゼル側挿通孔１４ｃ１、シャーシ側挿通孔、及びフレーム側挿通孔に取付ネジ（取付部材の一例）ＳＭが挿通されることで、ベゼル１４がシャーシ２２及びフレーム１６に対して取り付けられた構成となっている。このベゼル１４において、取付ネジＳＭは折り返し部１４ｃのみに挿通されている。換言すれば、ベゼル１４において、枠状部１４ａや筒状部１４ｂには取付ネジＳＭが挿通されない構成となっている。従って、ベゼル１４は、その折り返し部１４ｃが取付ネジＳＭによってシャーシ２２及びフレーム１６に対して固定されることで、バックライト装置１２やフレーム１６に対して保持された構成となっている。なお、フレーム１６は、取付ネジＳＭが挿通されるために十分な厚みを有するものとされている。取付ネジＳＭは、上記のように折り返し部１４ｃの重畳部１４ｃ２に挿通されることで、鉛直方向（Ｚ軸方向）について液晶パネル１１の端縁１１ｅと重なった位置に取り付けられている。
【００３８】
続いて、ベゼル１４をフレーム１６及びシャーシ２２の受け板２２ｃ等に対して組み付ける際の組み付け態様について説明する。ベゼル１４は、液晶表示装置１０の製造工程において、最後に組み付けられる部材とされる。即ち、液晶表示装置１０の製造工程では、バックライト装置１２の表側にフレーム１６が組み付けられ、その後にフレーム１６の内側に液晶パネル１１が載置され、最後にベゼル１４が組み付けられる。ここで、上述したようにベゼル１４は、内側に開口した形の断面視略Ｕ字状とされているので、枠状とされたベゼル１４をフレーム１６やシャーシ２２の受け板２２ｃ等に対してその表側から組み付けようとしても、ベゼル１４の折り返し部１４ｃがフレーム１６や液晶パネル１１の端縁１１ｅ等と干渉してしまい、組み付けることができない。
【００３９】
そこで、ベゼル１４をフレーム１６及びシャーシ２２の受け板２２ｃ等に対して組み付ける際には、ベゼル１４を構成する各分割ベゼル１４Ｌ，１４Ｓを予め結合させず、分割された状態の各分割ベゼル１４Ｌ，１４Ｓをそれぞれフレーム１６及びシャーシ２２の受け板２２ｃ等に対してその外側（側方）から先に組み付け（図６の矢印参照）、その後に各分割ベゼル１４Ｌ，１４Ｓを結合させる。詳しくは、図６に示すように、各分割ベゼル１４Ｌ，１４Ｓを、対応するフレーム１６の各辺に対してその外側からそれぞれ嵌め込み、その後に隣り合う各分割ベゼル１４Ｌ，１４Ｓを結合部材によって結合し、その後にベゼル１４の折り返し部１４ｃの裏側から上記した取付ネジＳＭを挿通させてネジ留めすることで、ベゼル１４をシャーシ２２の受け板２２ｃ（バックライト装置１２）及びフレーム１６に対して取り付けることができる。なお、図６ではバックライト装置１２及び液晶パネル１１の図示を省略している。また、各分割ベゼル１４Ｌ，１４Ｓを結合部材によって結合させる工程と、ベゼル１４を取付ネジＳＭでネジ留めする工程と、は逆の順序で行ってもよい。
【００４０】
さて、以上のように本実施形態に係る液晶表示装置１０では、ベゼル１４の枠状部１４ａとシャーシ２２の底板２２ａとがそれぞれ液晶表示装置１０の表裏の外観を構成している。そして、液晶パネル１１がその表示面１１ｃ側からベゼル１４によって好適に保持される構成となっている。ここで、液晶パネル１１の表示面１１ｃ側にはベゼル１４の枠状部１４ａのみ配されているため、仮に取付ネジＳＭが枠状部１４ａに対してその表側（重畳部１４ｃ２側とは反対側）から挿通されるとすると、液晶パネル１１の端縁１１ｅよりも外側（液晶パネル１１の中心側とは反対側）に取付ネジＳＭが挿通されるためのスペースを確保する必要がある。また、取付ネジＳＭが液晶パネル１１の側方側（液晶パネル１１の端面１１ｅよりも外側）から挿通される場合であっても、液晶パネル１１の端縁１１ｅよりも外側に取付ネジＳＭが挿通されるためのスペースを確保する必要がある。この点、本実施形態に係る液晶表示装置１０では、ベゼル１４における折り返し部１４ｃの一部である重畳部１４ｃ２が、液晶パネル１１の端縁１１ｅ、シャーシ２２の受け板２２ｃ、及びフレーム１６と平面視において重畳しており、取付ネジＳＭを重畳部１４ｃ２を挟んで液晶パネル１１側とは反対側から当該重畳部１４ｃ２、シャーシ２２の一部、及びフレーム１６に対してそれぞれ挿通させることができるため、液晶パネル１１の端縁１１ｅよりも外側に取付ネジＳＭが挿通されるためのスペースを確保しなくとも、取付ネジＳＭによってベゼル１４をシャーシ２２に対して取り付けることができる。この結果、本実施形態の液晶表示装置１０では、ベゼル１４によって液晶パネル１１を好適に保持しながら、ベゼル１４の枠状部１４ａの幅を狭めることができ、当該液晶表示装置１０の狭額縁化を図ることができる。
【００４１】
また本実施形態に係る液晶表示装置１０では、枠状をなすベゼル１４の四辺の各々を構成する構成部材が、それぞれ分割ベゼル１４Ｌ，１４Ｓとして分割可能とされている。このような構成とされていることで、ベゼル１４の四辺の各々を構成する各分割ベゼル１４Ｌ，１４Ｓを予め液晶パネル１１（フレーム１６）の側方側から液晶パネル１１（フレーム１６）に対して組み付け、その後に各分割ベゼル１４Ｌ，１４Ｓの間を結合部材によって結合させることで、ベゼル１４をバックライト装置１２等に対して容易に組み付けることができる。
【００４２】
なお本実施形態に係る液晶表示装置１０では、バックライト装置１２がいわゆる直下型とされており、シャーシ２２に、その側板２２ｂの立ち上がり端から外側に張り出す受け板２２ｃが設けられている。その上で、受け板２２ｃに取付ネジＳＭが挿通される構成となっている。このような構成とされていることで、当該液晶表示装置１０において、シャーシ２２の受け板２２ｃが側方に突出した形となり、当該受け板２２ｃに取付ネジＳＭが挿通されるので、ベゼル１４の折り返し部１４ｃ（重畳部１４ｃ２）をシャーシ２２の底板２２ａ側まで延在させなくとも取付ネジＳＭをシャーシ２２に取り付けることができる。このため、直下型のバックライト装置１２を備える構成を実現しながら、ベゼル１４の厚みを小さくすることができ、これにより、液晶表示装置１０の小型化を図ることができる。
【００４３】
＜実施形態１の変形例１＞
続いて実施形態１の変形例１について説明する。変形例１に係る液晶表示装置は、ベゼル１４及びフレーム１６の構成が実施形態１のものと異なっている。その他の構成については実施形態１で説明したものと同様であるため、構造、作用、及び効果の説明は省略する。実施形態１の変形例１では、図７に示すように、枠状をなすベゼル１４の四辺うち、ソース側フレキシブル基板及びプリント基板が配される側（図７における左下側）のみが分割可能となっている。即ち、ベゼル１４の四辺うち、ソース側フレキシブル基板及びプリント基板が配される側が長辺側分割ベゼル１４Ｌとして分割可能となっており、他の三辺は一体成形されて結合された構成となっている（以下では、この三辺が一体成形されて結合されたベゼル１４の一部を結合ベゼル１５と称する）。そして、この分割可能とされた長辺側分割ベゼル１４Ｌのみが、実施形態１と同様に、折り返し部１４ｃを有することで断面視略Ｕ字状をなす構成とされている。一方、結合ベゼル１５は、枠状部１５ａと筒状部１５ｂのみを有しており、断面視略Ｌ字状をなすものとされている。
【００４４】
枠状をなすベゼル１４の四辺うち、長辺側分割ベゼル１４Ｌのフレーム１６等に対する取り付け態様は、実施形態１と同様である。一方、結合ベゼル１５には、図７に示すように、その１５ｂに複数のベゼル側挿通孔１５ｂ１が間欠的に設けられている。そして、これらのベゼル側挿通孔１５ｂ１と対応するフレーム１６の側面にも、フレーム側挿通孔１６ｂ１が設けられている。結合ベゼル１５は、その筒状部１５ｂの外側（側方）から取付ネジがベゼル側挿通孔１５ｂ１及びフレーム側挿通孔１６ｂ１に挿通されることで、フレーム１６等に対して取り付けられる構成とされている。なお、枠状をなすフレーム１６の四辺のうち、結合ベゼル１５が取り付けられる三辺は、長辺側分割ベゼル１４Ｌが取り付けられる一辺よりもその側面の幅が大きいものとなっている（図７参照）。このため、フレーム１６に対してその側方から取付ネジを挿通した場合でも、取付ネジを取り付けることが可能とされている。なお、結合ベゼル１５は、断面視略Ｌ字状とされているので、フレーム１６等に対してその表側から組み付けることが可能とされる（図８の矢印参照）。
【００４５】
本変形例では、ベゼル１４の四辺のうち、上記のようにソース側フレキシブル基板及びプリント基板が配された側に配される部位が、他の部位から分割可能となっている。そして分割可能とされた長辺側分割ベゼル１４Ｌには、折り返し部が設けられており、断面視略Ｕ字状をなすものとされている。ここで、枠状をなすベゼル１４のうちプリント基板が配される側は、プリント基板を収容するためのスペースを確保する必要があるため、狭額縁を達成し難い。この点、本変形例の構成のようにプリント基板が配される側に折り返し部１４ｃが設けられていれば、折り返し部１４ｃとシャーシ２２の一部との間、即ちベゼル１４の裏側にプリント基板を配置することができるので、液晶表示装置の狭額縁化を図る上で妨げとなり難い。このため、液晶表示装置の狭額縁化を効果的に図ることができる。
【００４６】
＜実施形態１の変形例２＞
続いて実施形態１の変形例２について説明する。変形例２に係る液晶表示装置１０は、ベゼル１４における折り返し部１４ｃの構成及びシャーシ２２の受け板２２ｃの構成が実施形態１のものと異なっている。その他の構成については実施形態１で説明したものと同様であるため、構造、作用、及び効果の説明は省略する。実施形態１の変形例２では、図８に示すように、ベゼル１４における折り返し部１４ｃの先端に、表側（液晶パネル１１側）に向かって突出する係止部１４ｄが設けられている。一方、シャーシ２２の受け板２２ｃにおける係止部２２ｄと平面視において重畳する部位には、折り返し部１４ｃ側に向かって開口する凹部２２ｃ１が設けられている。係止部２２ｄの先端はこの凹部２２ｃ１に嵌合されており、これにより、係止部２２ｄがシャーシ２２の受け板２２ｃに対して係止されている。本変形例では、ベゼル１４が、取付ネジＳＭによってシャーシ２２に対して取り付けられるのに加えて、このように係止部１４ｄにおいてもシャーシ２２に対して係止されるため、ベゼル１４をシャーシ２２に対してより確実に保持させることができる。
【００４７】
＜実施形態２＞
図面を参照して実施形態２を説明する。実施形態２は、ベゼル１１４の構成が実施形態１のものと異なっている。その他の構成については実施形態１のものと同様であるため、構造、作用、及び効果の説明は省略する。なお、図９ないし図１１において、図４の参照符号にそれぞれ数字１００を加えた部位は、実施形態１で説明した部位と同一である。
【００４８】
実施形態２に係る液晶表示装置１１０では、図９に示すように、ベゼル１１４における筒状部１１４ｂと折り返し部１１４ｃとの間に、筒状部１１４ｂよりも内側（液晶パネル１１１の端縁１１１ｅ側）に折り返された板状の接触部１１４ｆが設けられている。この接触部１１４ｆは、図９ないし図１１に示すように、その厚みが、ベゼル１１４を構成する他の部位（枠状部１１４ａ、筒状部１１４ｂ、及び折り返し部１１４ｃ）の厚みと比べて小さいものとされている。本実施形態では、このように筒状部１１４ｂと折り返し部１１４ｃとの間に接触部１１４ｆが設けられていることで、折り返し部１１４ｃがシャーシ１２２の受け板１２２ｃよりも裏側に配されており、折り返し部１１４ｃと受け板１２２ｃとの間が離間したものとなっている。その上で、ベゼル１１４における折り返し部１１４ｃの先端には、表側（液晶パネル１１１側）に向かって突出する突出部（係止部の一例）１１４ｅが設けられており、この突出部１１４ｅの先端が受け板１２２ｃに対してその裏側から当接した構成となっている。このような構成とされている場合であっても、ベゼル１１４に重畳部１１４ｃ２を有する折り返し部１１４ｃが設けられていることで、液晶パネル１１１の端縁１１１ｅよりも外側に取付ネジＳＭが挿通されるためのスペースを確保しなくとも、取付ネジＳＭによってベゼル１１４をシャーシ１２２に対して取り付けることができる。このため、ベゼル１１４によって液晶パネル１１１を好適に保持しながら、ベゼル１１４の枠状部１１４ａの幅を狭めることができ、当該液晶表示装置１１０の狭額縁化を図ることができる。
【００４９】
ここで、図１０に、本実施形態に係る液晶表示装置１１０の短辺方向（Ｙ軸方向）のうち、ソース側フレキシブル基板１２３を通る断面で切断した断面の断面構成の一部を示す。図１０に示すように、ソース側フレキシブル基板１２３は、ベゼルの内面に沿って配されており、その一端に接続されたプリント基板は、折り返し部１１４ｃと受け板１２２ｃとの間に形成された空間、詳しくは受け板１２２ｃの裏側に配されている。さらに、ソース側フレキシブル基板１２３の基材上における内側の面においてプリント基板１２５寄りの位置には、液晶駆動用のソースドライバ（駆動部品の一例）１２４が実装されている。そして、ソース側フレキシブル基板１２３のうちソースドライバ１２４が実装された部位は、図１０に示すように、ベゼル１１４における接触部１１４ｆの内面と接触した形で配されている。
【００５０】
ところで、液晶表示装置１１０では、その使用に伴って各種電装部品が通電されると、ソースドライバ１２４において熱が発せられる。ソースドライバ１２４が通電に伴って発熱して想定を上回る高温状態に至った場合には、ソースドライバ１２４が信号を正常に処理できなくなって液晶パネル１１１に表示される画像の表示品位が著しく低下し、或いはソースドライバ１２４が故障してしまって液晶パネル１１１に画像を表示できなくなるおそれがある。これに対し、本実施形態の液晶表示装置１１０では、図１０に示すように、ソース側フレキシブル基板１２３のソースドライバ１２４が実装された部位がベゼル１１４の接触部１１４ｆに接触されているから、ソースドライバ１２４から発せられる熱が接触部１１４ｆを介してベゼル１１４の外側（液晶表示装置１１０の外側）へと効果的に放熱される。しかも、接触部１１４ｆの厚みがベゼル１１４における他の部位の厚みよりも小さいものとされているので、接触部１１４ｆはベゼル１１４の他の部位と比べてベゼル１１４の内側から外側へと熱が伝わり易くなっている。このため、ソースドライバ１２４から発せられる熱を液晶表示装置１１０の外側へと一層効果的に放熱させることができる。
【００５１】
＜実施形態２の変形例＞
続いて実施形態２の変形例について説明する。変形例に係る液晶表示装置１１０は、シャーシ１２２の受け板１２２ｃの構成が実施形態２のものと異なっている。その他の構成については実施形態２で説明したものと同様であるため、構造、作用、及び効果の説明は省略する。実施形態２の変形例では、図１１に示すように、シャーシ１２２の受け板１２２ｃに裏側（折り返し部１１４ｃ側）に向かって突出する当接部１２２ｄが設けられている。この当接部１２２ｄは、その内側の面が、折り返し部１１４ｃから突出する突出部１１４ｅの外側（液晶パネル１１１の中心側とは反対側）の面と当接している。このような構成とされることで、突出部１１４ｅがシャーシ１２２の受け板１２２ｃに対して係止されている。本変形例では、ベゼル１１４が、取付ネジＳＭによってシャーシ１２２に対して取り付けられるのに加えて、このように突出部１１４ｅにおいてもシャーシ１２２に対して係止されるため、ベゼル１１４をシャーシ１２２に対してより確実に保持させることができる。
【００５２】
＜実施形態３＞
図面を参照して実施形態３を説明する。実施形態３は、液晶表示装置２１０が備えるバックライト装置２１２のタイプが実施形態１及び２のものと異なっている。その他の構成については実施形態１のものと同様であるため、構造、作用、及び効果の説明は省略する。実施形態３に係る液晶表示装置２１０では、図１２に示すように、液晶表示装置２１０を構成するバックライト装置２１２が、導光板２１９を備えており、導光板２１９および光学部材２１８が液晶パネル２１１の直下に配されていると共に光源であるＬＥＤ２３２が導光板２１９の端面側に配されてなる、いわゆるエッジライト型とされている。以下、実施形態１及び２のものと異なる構成の部材について説明する。
【００５３】
バックライト装置２１２は、図１２に示すように、表側（光出射側、液晶パネル２１１側）に向けて開口する略箱型をなすシャーシ２２２と、シャーシ２２２の開口を覆うようにして配される光学部材２１８と、枠状をなすとともに液晶パネル２１１の端縁を支持する枠状のフレーム２１６と、を備えている。さらに、シャーシ２２２内には、光源であるＬＥＤ２３２と、複数のＬＥＤ２３２が実装されたＬＥＤ基板２３０と、ＬＥＤ２３２からの光を光学部材２１８（液晶パネル２１１）へと導光する導光板２１９と、が収容されている。フレーム２１６は、図１３に示すように、実施形態１及び２のものと異なっている。詳しくは、フレーム２１６は、実施形態１及び２で説明したフレーム１６、１１６における内側突出部１６ａ、１１６ｂ及び表側突出部１６ｂ、１１６ｂに相当する部位を有しておらず、液晶パネル２１１の表示面２１１ｃに沿った枠状板面と、当該枠状板面の外端から裏側に筒状に延びる筒状板面と、から構成されたものとなっている。このうち、枠状板面は、ＬＥＤ基板２３０と導光板２１９の光入射面２１９ｂとの間に形成された空間を表側から覆う形で配されており、筒状板面は、次述するシャーシ２２２の側板２２２ｂに宛がわれた形で配されている。
【００５４】
シャーシ１４は、例えばアルミニウム板や電気亜鉛めっき鋼板（ＳＥＣＣ）などの金属板からなり、図１２及び図１３に示すように、液晶パネル２１１と同様に横長の方形状をなす底板２２２ａと、底板２２２ａの長辺側の両端縁から表側に立ち上がる一対の側板２２２ｂ，２２２ｂとからなる。そして、シャーシ２２２内において、当該シャーシ２２２の両長辺側に配された一対のＬＥＤ基板２３０，２３０と対向する空間が、後述する導光２１９用の収容空間となっている。さらに、シャーシ２２２における底板２２２ａのうち両長辺側の端部には、裏側（液晶パネル２１１側とは反対側）に窪んでなる一対の窪み部２２２ｄ，２２２ｄが設けられている。この窪み部２２２ｄは、平面視においてＬＥＤ２３２と重畳するものとされている。底板２２２ａと一対の窪み部２２２ｄ，２２２ｄとの間には、それぞれ裏側（液晶パネル２１１側とは反対側）に向かって傾斜する傾斜部２２２ｃが設けられている。なお、図１３及び図１４に示すように、底板２２２のうち、窪み部２２２ｄにおける板面は、他の部位の板面と比べてその厚みが大きいものとされている。
【００５５】
光学部材１８は、図１２に示すように、液晶パネル２１１及びシャーシ２２２と同様に平面に視て横長の方形状をなしている。光学部材２１９は、後述する導光板２１９の表側（光出射面２１９ａ側）に載せられていて液晶パネル２１１と導光板２１９との間に介在して配されることで、導光板２１９からの出射光を透過するとともにその透過光に所定の光学作用を付与しつつ液晶パネル２１１に向けて出射させる。光学部材２１８は、互いに積層される複数枚（本実施形態では３枚）のシート状の部材からなるものとされ、導光板２１９側から順に、拡散シート２１８ａ、レンズシート２１８ｂ、反射型偏光シート２１８ｃが積層されたものである。
【００５６】
ＬＥＤ基板２３０は、図１２及び図１３に示すように、シャーシ２２２の長辺方向（Ｘ軸方向、導光板２１９における光入射面２１９ｂの長手方向）に沿って延在する細長い板状をなしている。一対のＬＥＤ基板２３０，２３０は、その板面をＸ軸方向及びＺ軸方向に並行した姿勢、つまり液晶パネル２１１及び導光板２１９（光学部材２１８）の板面と直交させた姿勢でシャーシ２２２の窪み部２２２ｄ内にそれぞれ収容されている。各ＬＥＤ基板２１８は、導光板２１９の光入射面２１９ｂに対して所定の間隔を空けつつ配されるとともに、シャーシ２２２の側板２２２ｂにおける内面に取り付けられている。従って、ＬＥＤ基板２３０と導光板２１９との並び方向は、Ｙ軸方向とほぼ一致しており、このＹ軸方向は、各ＬＥＤ２３２における光軸、つまり発光強度が最も高い光の進行方向（液晶パネル２１１の板面に並行する方向）とほぼ一致している。
【００５７】
導光板２１９は、屈折率が空気よりも十分に高く且つほぼ透明な（透光性に優れた）合成樹脂材料（例えばＰＭＭＡなどのアクリル樹脂やポリカーボネートなど）からなる。導光板２１９は、図１２に示すように、液晶パネル２１１及びシャーシ２２２と同様に平面に視て横長の方形状をなすとともに光学部材２１８よりも厚みが大きな板状をなしており、その板面における長辺方向がＸ軸方向と、短辺方向がＹ軸方向とそれぞれ一致し、且つ板面と直交する板厚方向がＺ軸方向と一致している。平板状をなす導光板２１９の板面のうち、表側を向いた面（液晶パネル２１１や光学部材２１８との対向面）は、図３に示すように、内部の光を光学部材２１８及び液晶パネル２１１側に向けて出射させる光出射面２１９ａとなっている。導光板２１９における板面に対して隣り合う外周端面のうち、Ｘ軸方向に沿って設けられた長辺側の両端面は、ＬＥＤ２３２（ＬＥＤ基板２３０）と所定の空間を空けて対向状をなしており、これがＬＥＤ２３２から発せられた光が入射される光入射面（対向端面の一例）２１９ｂとなっている。そして、導光板２１９は、ＬＥＤ２３２からＹ軸方向に沿って発せられた光を光入射面２１９ｂから導入するとともに、その光を内部で伝播させつつ光学部材２１８側（表側、光出射側）へ向くよう立ち上げて光出射面２１９ａから出射させる機能を有する。
【００５８】
導光板２１９の板面のうち、裏側、つまり光出射面２１９ａとは反対側の反対面２１９ｃには、図１３に示すように、導光板２１９内の光を反射して表側へ立ち上げることが可能な反射シート２２９がその全域を覆う形で設けられている。換言すると、反射シート２２９は、シャーシ２２２の底板２２２ａと導光板２１９との間に挟まれた形で配されている。この反射シート２２９のうち、導光板２１９における光入射面２１９ｂ側の端部は、光入射面２１９ｂよりも外側、つまりＬＥＤ２３２側に向けて延出されており、その先端がＬＥＤ２３２の下方に位置している。また、フレーム２１６における光入射面２１９ｂとＬＥＤ２３２との間の空間に露出する部位（フレーム２１６の枠状板面の内面）には、ＬＥＤ２３２からの光を反射するフレーム側反射シート２３９が当該部位を覆う形で設けられている。反射シート２２９のＬＥＤ２３２側へ延びる延出部分とフレーム側反射シート２３９によってＬＥＤ２３２からの光を反射することで、光入射面２１９ｂへの光の入射効率を向上させることができる。
【００５９】
本実施形態では、液晶パネル２１１の端縁２１１ｅを保持するベゼル２１４が、実施形態１及び２におけるベゼル１４、１１４と同様に、その各辺が分割可能とされており、その両長辺を構成する一対の長辺側分割ベゼル２１４Ｌと、その両短辺を構成する短辺側分割ベゼル２１４Ｓと、によって構成されている。ベゼル２１４は、液晶パネル２１１の表示面に沿った枠状板面を有する枠状部２１４ａと、枠状部２１４ａの四辺の外端からそれぞれ裏側（シャーシ２２２の底板２２２ａ側）に向かってシャーシ２２２の底板２２２ａにおける窪み部２２２ｄの裏側に達するまで筒状に延びる筒状部２１４ｂと、筒状部２１４ｂの裏側（液晶パネル２１１側とは反対側）の先端から折り返されて内側（液晶パネル２１１の中心側）へと板状に延びる折り返し部２１４ｃと、を有している。即ち、本実施形態のベゼル２１４は、筒状部２１４ｂがシャーシ２２２の底板２２２ａ（窪み部２２２ｄ）の裏側まで延びており、折り返し部２１４ｃがシャーシ２２２の底板２２２ａ（窪み部２２２ｄ）の裏側に配されている点で、実施形態１及び２のものと異なっている。
【００６０】
ベゼル２１４を構成する筒状部２１４ｂは、フレーム２１６の筒状板面に宛がわれており、折り返し部は、シャーシ２２２の窪み部２２２ｄにおける外面に宛がわれている。また、折り返し部２１４ｃは、図１４に示すように、その一部がシャーシ２２２の窪み部２２２ｄと液晶パネル２１１の端縁２１１ｅとの両者と平面視において重畳する重畳部２１４ｃ２とされている。ベゼル２１４は、枠状部２１４ａと筒状部２１４ｂと折り返し部２１４ｃとを有することによって、内側（液晶パネル２１１の中心側）に開いた形の断面視略Ｕ字状をなしており、液晶パネル２１１の端縁２１１ｅと、フレーム２１６と、シャーシ２２２の両長辺側の端部とを、枠状部２１４ａと折り返し部２１４ｃとの間に挟み込んだ形で配されている。
【００６１】
ベゼル２１４における折り返し部２１４ｃ（詳しくは重畳部２１４ｃ２）には、その延在方向（Ｘ軸方向）に沿って複数のベゼル側挿通孔２１４ｃ１が設けられている。また、シャーシ２２２ｄの窪み部２２２ｄにおいて、平面に視てベゼル側挿通孔２１４ｃ１と重畳する部位には、シャーシ側挿通孔が設けられている（図１４参照）。そして、折り返し部２１４ｃの裏側（重畳部２１４ｃ２を挟んで液晶パネル２１１側とは反対側）から、ベゼル側挿通孔２１４ｃ１、シャーシ側挿通孔に取付ネジＳＭが挿通されることで、ベゼル２１４がシャーシ２２２に対して取り付けられた構成となっている。このベゼル２１４において、取付ネジＳＭは折り返し部２１４ｃのみに挿通されており、枠状部２１４ａや筒状部２１４ｂには取付ネジＳＭは挿通されていない。従って、ベゼル２１４は、その折り返し部２１４ｃが固定されることで、バックライト装置２１２に対して保持されている。なお、上述したように、窪み部２２２ｄにおける板面は、取付ネジＳＭが挿通されるために十分な厚みを有するものとされている。また、液晶表示装置２１０の製造工程におけるベゼル２１４の組み付け態様は、実施形態１で説明したものと同様である。
【００６２】
このように本実施形態では、ベゼル２１４における折り返し部２１４ｃの一部である重畳部２１４ｃ２が、液晶パネル２１１の端縁２１１ｅ及びシャーシ２２２の窪み部２２２ｄと平面視において重畳しており、取付ネジＳＭが重畳部２１４ｃ２を挟んで液晶パネル２１１側とは反対側から当該重畳部２１４ｃ２及びシャーシ２２２の窪み部２２２ｄに対してそれぞれ挿通されるため、液晶パネル２１１の端縁２１１ｅよりも外側に取付ネジＳＭが挿通されるためのスペースを確保しなくとも、取付ネジＳＭによってベゼル２１４をシャーシ２２２に対して取り付けることができる。このため、本実施形態の液晶表示装置２１０では、エッジライト型のバックライト装置２１２を備える場合であっても、ベゼル２１４によって液晶パネル２１１を好適に保持しながら、当該液晶表示装置２１０の狭額縁化を図ることができる。
【００６３】
また、本実施形態では、バックライト装置２１２がいわゆるエッジライト型とされている。このため、仮にシャーシ２２２の底板２２２ａが平板状とすると、底板２２２ａのうち平面視においてＬＥＤ２３２と重畳する部位に取付ネジＳＭを挿通させる場合に、取付ネジＳＭが光源と干渉するため、ＬＥＤ２３２よりも外側に取付ネジＳＭを挿通させるためのスペースを設ける必要があり、狭額縁を達成することができない。この点、本実施形態の構成では、平面視においてＬＥＤ２３２と重畳する部位に窪み部２２２ｄが設けられていることで、当該窪み部２２２ｄに取付ネジＳＭを挿通させた場合であっても取付ネジＳＭがＬＥＤ２３２と干渉せず、平面視において２３２と重畳するシャーシ２２２の部位（窪み部２２２ｄ）に取付ネジＳＭを取り付けることができる。このため、エッジライト型のバックライト装置２１２を備える構成を実現しながら、液晶表示装置２１０の狭額縁化を図ることができる。
【００６４】
上記の各実施形態の変形例を以下に列挙する。
（１）上記の各実施形態では、ベゼルを構成する四辺のうち、断面視略Ｕ字状とされた辺が枠状部と筒状部と重畳部を含む折り返し部とを少なくとも有する構成を例示したが、断面視略Ｕ字状とされた辺は少なくとも枠状部と重畳部とを有していればよく、その構成は限定されない。
【００６５】
（２）上記の各実施形態では、ベゼルを構成する四辺のうち、全ての辺、又は一方の辺のみが折り返し部を有することで断面視略Ｕ字状とされた構成を例示したが、ベゼルを構成する四辺のうちいずれか二辺が断面視略Ｕ字状とされた構成であってもよく、ベゼルを構成する四辺のうちいずれか三辺が断面視略Ｕ字状とされた構成であってもよい。
【００６６】
（３）上記の各実施形態では、ベゼルを構成する四辺のうち、断面視略Ｕ字状とされた辺が重畳部における外側から取り付けられた取付ビスのみによってシャーシに対して取り付けられた構成を例示したが、断面視略Ｕ字状とされた辺において、取付ネジと比べてその径や長さが非常に小さいものとされた補助ネジがベゼルの側方（筒状部の外側）から挿通されて取り付けられた構成であってもよい。このように、取付ネジに加えてさらに補助ネジによってベゼルをシャーシに対して取り付けることで、ベゼルをシャーシに対してより確実に取り付けることができる。この場合、補助ネジは取付ネジに比べて非常に小さいため、液晶パネルの端縁よりも外側に別途スペースを設けなくとも、補助ネジをベゼルの側方から挿通させることができ、液晶表示装置の狭額縁化を図る上で妨げとならない。
【００６７】
（４）上記の各実施形態では、取付部材の一例として取付ネジを例示したが、ビス部材であってもよく、その他の取付部材であってもよい。
【００６８】
（５）上記の各実施形態以外にも、ベゼルの構成及び形状については、適宜に変更可能である。
【００６９】
（６）上記の各実施形態では、表示パネルとして液晶パネルを用いた液晶表示装置を例示したが、他の種類の表示パネルを用いた表示装置にも本発明は適用可能である。
【００７０】
（７）上記の各実施形態では、チューナーを備えたテレビ受信装置を例示したが、チューナーを備えない表示装置にも本発明は適用可能である。
【００７１】
以上、本発明の各実施形態について詳細に説明したが、これらは例示に過ぎず、特許請求の範囲を限定するものではない。特許請求の範囲に記載の技術には、以上に例示した具体例を様々に変形、変更したものが含まれる。
【００７２】
また、本明細書または図面に説明した技術要素は、単独であるいは各種の組合せによって技術的有用性を発揮するものであり、出願時の請求項に記載の組合せに限定されるものではない。また、本明細書または図面に例示した技術は複数目的を同時に達成し得るものであり、そのうちの一つの目的を達成すること自体で技術的有用性を持つものである。
【符号の説明】
【００７３】
ＴＶ…テレビ受信装置、Ｃａ、Ｃｂ…キャビネット、Ｔ…チューナー、Ｓ…スタンド、１０、１１０、２１０…液晶表示装置、１１、１１１、２１１…液晶パネル、１２、１１２、２１２…バックライト装置、１４、１１４、２１４…ベゼル、１４ａ、１１４ａ、２１４ａ…枠状部、１４ｂ、１１４ｂ、２１４ｂ…筒状部、１４ｃ、１１４ｃ、２１４ｃ…折り返し部、１４ｃ１、１１４ｃ１、２１４ｃ１…ベゼル側挿通孔、１４ｃ２、１１４ｃ２、２１４ｃ２…重畳部、１６、１１６、２１６…フレーム、１８、１１８、２１８…光学部材、２２、１２２、２２２…シャーシ、２３、１２３…ソース側フレキシブル基板、２５、１２５…プリント基板、２９、１２９、２２９…反射シート、３０、１３０、２３０…ＬＥＤ基板、３２、１３２、２３２…ＬＥＤ、１１４ｆ…接触部、１２４…ソース側ドライバ、２１９…導光板、ＳＭ…取付ネジ
【図１】
2014074756.tif 000003
【図２】
2014074756.tif 000004
【図３】
2014074756.tif 000005
【図４】
2014074756.tif 000006
【図５】
2014074756.tif 000007
【図６】
2014074756.tif 000008
【図７】
2014074756.tif 000009
【図８】
2014074756.tif 000010
【図９】
2014074756.tif 000011
【図１０】
2014074756.tif 000012
【図１１】
2014074756.tif 000013
【図１２】
2014074756.tif 000014
【図１３】
2014074756.tif 000015
【図１４】
2014074756.tif 000016